(57)【要約】【課題】大型化することなく、接続部の挿入開口を拡げることができる接続端子を提供する。【解決手段】タブ状の相手接続部３が挿入される箱状の接続部５と、この接続部５の壁部７と連続する一部材で形成され接続部５内に撓み可能に配置されたバネ部９と、接続部５の相手接続部３が挿入される挿入開口１１に位置され接続部５の壁部７とバネ部９とを連結する連結部１３とを備えた接続端子１において、連結部１３の板厚を、接続部５の壁部７の板厚より薄く設定した。【選択図】図５
2017142978.tif 000002
【特許請求の範囲】
【請求項１】
タブ状の相手接続部が挿入される箱状の接続部と、この接続部の壁部と連続する一部材で形成され前記接続部内に撓み可能に配置されたバネ部と、前記接続部の前記相手接続部が挿入される挿入開口に位置され前記接続部の壁部と前記バネ部とを連結する連結部とを備えた接続端子であって、
前記連結部は、板厚が前記接続部の壁部の板厚より薄く設定されていることを特徴とする接続端子。
【請求項２】
請求項１記載の接続端子であって、
前記連結部は、前記接続部の壁部の内壁面に重ね合わせて配置されていることを特徴とする接続端子。
【発明の詳細な説明】
【技術分野】
【０００１】
本発明は、接続端子に関する。詳細には、タブ状の相手接続部が挿入される箱状の接続部を有する接続端子に関する。
【背景技術】
【０００２】
従来、接続端子としては、タブ状の相手接続部が挿入される箱状の接続部と、この接続部の壁部と連続する一部材で形成され接続部内に撓み可能に配置されたバネ部と、接続部の相手接続部が挿入される挿入開口に位置され接続部の壁部とバネ部とを連結する連結部としての屈曲部とを備えたものが知られている（例えば、特許文献１参照）。
【０００３】
この接続端子では、接続部の挿入開口において、屈曲部と対向する接続部の壁部が接続部の外部に向けて挿入開口を拡げるように傾斜されており、タブ状の相手接続部が接続部に対して傾斜されて挿入されても、傾斜された接続部の壁部によってタブ状の接続部を接続部内に挿入できるようにされている。
【先行技術文献】
【特許文献】
【０００４】
【特許文献１】特開２０１５−１０３４１０号公報
【発明の概要】
【発明が解決しようとする課題】
【０００５】
しかしながら、上記特許文献１のような接続端子では、傾斜された接続部の壁部が接続部の外部に向けて傾斜されているので、傾斜された壁部が接続部から外部に向けて張り出してしまい、接続部が大型化していた。
【０００６】
そこで、この発明は、大型化することなく、接続部の挿入開口を拡げることができる接続端子の提供を目的としている。
【課題を解決するための手段】
【０００７】
請求項１記載の発明は、タブ状の相手接続部が挿入される箱状の接続部と、この接続部の壁部と連続する一部材で形成され前記接続部内に撓み可能に配置されたバネ部と、前記接続部の前記相手接続部が挿入される挿入開口に位置され前記接続部の壁部と前記バネ部とを連結する連結部とを備えた接続端子であって、前記連結部は、板厚が前記接続部の壁部の板厚より薄く設定されていることを特徴とする。
【０００８】
この接続端子では、連結部の板厚が、接続部の壁部の板厚より薄く設定されているので、接続部の挿入開口において、連結部が配置された部分が接続部の壁部より薄肉とされた分だけ挿入開口を拡げることができる。
【０００９】
このため、接続部が大型化することなく、接続部の挿入開口を拡げることができ、タブ状の相手接続部の接続部に対する挿入を案内することができる。
【００１０】
従って、このような接続端子では、連結部の板厚が接続部の壁部の板厚より薄くされているので、大型化することなく、接続部の挿入開口を拡げることができる。
【００１１】
請求項２記載の発明は、請求項１記載の接続端子であって、前記連結部は、前記接続部の壁部の内壁面に重ね合わせて配置されていることを特徴とする。
【００１２】
この接続端子では、連結部が、接続部の壁部の内壁面に重ね合わせて配置されているので、連結部の外側に連結部より板厚の厚い壁部が配置され、接続部の挿入開口における剛性を保持することができる。
【発明の効果】
【００１３】
本発明によれば、大型化することなく、接続部の挿入開口を拡げることができる接続端子を提供することができるという効果を奏する。
【図面の簡単な説明】
【００１４】
【図１】本発明の実施の形態に係る接続端子が収容されるコネクタハウジングの斜視図である。
【図２】本発明の実施の形態に係る接続端子の斜視図である。
【図３】本発明の実施の形態に係る接続端子の断面図である。
【図４】本発明の実施の形態に係る接続端子の展開図である。
【図５】本発明の実施の形態に係る接続端子に相手接続部を挿入するときの断面図である。
【発明を実施するための形態】
【００１５】
図１〜図５を用いて本発明の実施の形態に係る接続端子について説明する。
【００１６】
本実施の形態に係る接続端子１は、タブ状の相手接続部３が挿入される箱状の接続部５と、この接続部５の壁部７と連続する一部材で形成され接続部５内に撓み可能に配置されたバネ部９と、接続部５の相手接続部３が挿入される挿入開口１１に位置され接続部５の壁部７とバネ部９とを連結する連結部１３とを備えている。
【００１７】
そして、連結部１３は、板厚が接続部５の壁部７の板厚より薄く設定されている。
【００１８】
また、連結部１３は、接続部５の壁部７の内壁面に重ね合わせて配置されている。
【００１９】
図１に示すように、本実施の形態に係る接続端子１は、合成樹脂などの絶縁性材料からなるコネクタハウジング１５に設けられた複数の端子収容室１７内に収容されている。
【００２０】
端子収容室１７は、長さ方向の一端側が接続端子１を内部に挿入させる開口となっており、長さ方向の他端側がタブ状の相手接続部３が内部に挿入される開口となっている。
【００２１】
この端子収容室１７の内部には、撓み可能に係止ランス（不図示）が設けられ、一端側の開口から挿入される接続端子１を係止し、端子収容室１７からの接続端子１の抜け止めがなされる。
【００２２】
このような接続端子１を収容する端子収容室１７が設けられたコネクタハウジング１５は、相手ハウジング（不図示）と嵌合可能となっている。
【００２３】
このコネクタハウジング１５は、相手ハウジングと嵌合すると、相手ハウジング内に収容された相手端子（不図示）のタブ状の相手接続部３が端子収容室１７の他端側の開口から挿入され、タブ状の相手接続部３と接続端子１とが電気的に接続される。
【００２４】
図２〜図５に示すように、接続端子１は、導電性材料からなる１枚の板材に対して、打ち抜き加工や折り曲げ加工などを施すことによって、電線圧着部１９と、接続部５とが連続する一部材で形成されている。
【００２５】
電線圧着部１９は、被覆圧着部２１と、芯線圧着部２３とを備えている。
【００２６】
被覆圧着部２１は、一対の加締め片からなり、電源や機器などに接続された被覆電線（不図示）の端末部において、被覆電線の被覆部を加締める。
【００２７】
この被覆圧着部２１を被覆電線の被覆部に加締めることにより、接続端子１が被覆電線に固定される。
【００２８】
芯線圧着部２３は、接続部５と被覆圧着部２１との間に設けられた一対の圧着片からなり、被覆電線の端末部において、被覆電線の被覆部から露出された芯線部を加締めて圧着される。
【００２９】
この芯線圧着部２３を被覆電線の芯線部に圧着させることにより、接続端子１が被覆電線に電気的に接続される。
【００３０】
なお、芯線圧着部２３には、被覆電線の芯線部に圧着させる際に、被覆電線の芯線部の表面に形成された酸化皮膜を破壊させるための複数の凹部が形成されている。
【００３１】
接続部５は、壁部７のうち底壁が電線圧着部１９と連続する一部材で形成され、壁部７のうち両側壁と上壁とを折り曲げ加工によって箱状に形成された雌型の接続部からなる。
【００３２】
この接続部５には、長さ方向の一端側に挿入開口１１が設けられ、この挿入開口１１から内部に相手端子のタブ状に形成された雄型の相手接続部３が挿入される。
【００３３】
なお、接続部５の壁部７うち上壁の外壁面には、端子収容室１７（図１参照）の係止ランスに係止される係止突起２５と、接続端子１の端子収容室１７内への挿入を案内するガイド突起２７とが設けられている。
【００３４】
このような接続部５の内部には、バネ部９が設けられ、バネ部９が付勢力によって相手接続部３と接触することにより、相手端子と接続端子１とが電気的に接続される。
【００３５】
バネ部９は、接続部５を箱状に構成する壁部７と連続する一部材で形成され、接続部５の内部で所定の付勢力を有して弾性変形するように上下方向に撓み可能に配置されている。
【００３６】
このバネ部９の中央部には、相手接続部３と接触可能な接点部２９が設けられ、挿入開口１１から接続部５内に挿入された相手接続部３に接点部２９がバネ部９の付勢力によって接触される。
【００３７】
このようなバネ部９は、基端側が連結部１３を介して接続部５の壁部７のうち一側壁と連結されている。
【００３８】
連結部１３は、接続部５の壁部７のうち一側壁の端部と連続する一部材で形成されると共に、バネ部９の基端側と連続する一部材で形成され、接続部５の壁部７とバネ部９とを連続する一部材で連結している。
【００３９】
この連結部１３は、接続部５の挿入開口１１に位置され、接続部５を箱状に形成する際に、接続部５の壁部７のうち上壁の内壁面に重ね合わせるように接続部５の内部側に配置される。
【００４０】
このような接続部５の挿入開口１１に位置された連結部１３は、その板厚が、箱状の接続部５を構成する壁部７の板厚より薄くなるように設定されている。
【００４１】
このように連結部１３の板厚を設定することにより、接続部５の挿入開口１１は、壁部７の板厚と同一の板厚を有する連結部１３が配置されるのに比較して、連結部１３の減肉された板厚分だけ拡がることになる。
【００４２】
このため、接続部５の挿入開口１１に接続部５の外側に向けて傾斜するような部分を設けなくとも、図５の実線で示す相手接続部３のように、相手接続部３が傾斜されて挿入開口１１に挿入されても、相手接続部３を接続部５内に案内することができる。
【００４３】
一方、連結部１３の外側には、連結部１３より厚肉とされた接続部５の壁部７のうち上壁が重ね合わせて配置され、接続部５の挿入開口１１の剛性が保持されている。
【００４４】
このため、図５の点線で示す相手接続部３のように、相手接続部３の先端が接続部５の挿入開口１１の縁部に衝突したとしても、連結部１３の変形を抑制することができ、バネ部９の付勢力への影響を抑制し、接続信頼性を保持することができる。
【００４５】
このような接続端子１では、連結部１３の板厚が、接続部５の壁部７の板厚より薄く設定されているので、接続部５の挿入開口１１において、連結部１３が配置された部分が接続部５の壁部７より薄肉とされた分だけ挿入開口１１を拡げることができる。
【００４６】
このため、接続部５が大型化することなく、接続部５の挿入開口１１を拡げることができ、タブ状の相手接続部３の接続部５に対する挿入を案内することができる。
【００４７】
従って、このような接続端子１では、連結部１３の板厚が接続部５の壁部７の板厚より薄くされているので、大型化することなく、接続部５の挿入開口１１を拡げることができる。
【００４８】
また、連結部１３は、接続部５の壁部７の内壁面に重ね合わせて配置されているので、連結部１３の外側に連結部１３より板厚の厚い壁部７が配置され、接続部５の挿入開口１１における剛性を保持することができる。
【００４９】
なお、本実施の形態に係る接続端子では、連結部が接続部の壁部のうち一側壁とバネ部とを連結しているが、これに限らず、連結部が接続部の壁部のうち上壁、或いは底壁とバネ部とを連結してもよい。
【符号の説明】
【００５０】
１…接続端子
３…相手接続部
５…接続部
７…壁部
９…バネ部
１１…挿入開口
１３…連結部
【図１】
2017142978.tif 000003
【図２】
2017142978.tif 000004
【図３】
2017142978.tif 000005
【図４】
2017142978.tif 000006
【図５】
2017142978.tif 000007